Podtech/llm-jp-corpus-v4-ja_patent huggingface dataset:
(57)【要約】      （修正有）【課題】使用時に塗布作業を要せず、周辺も汚さないと同時に、衣服のような三次元的形態にも二次加工でき、かつ着磁可能な沈痛消炎用シート加工物を提供する。【解決手段】身体に近接して用いられるシート加工物において、シート本体１の少なくとも片面に粉末状磁性体Ａを混合した塗材２を積層させて、沈痛消炎用シートとする。特に身体装着用サポーター、パンツ類、腹巻類等の形態をとる。【選択図】図１
0003139456.tif 000002
【実用新案登録請求の範囲】
【請求項１】
身体に近接して用いられるシート加工物において、シート本体の少なくとも片面に粉末状磁性体を混合した塗材を積層させて成ることを特徴とする沈痛消炎用シート加工物。
【請求項２】
シート加工物が身体装着用サポーターである請求項１記載の沈痛消炎用シート加工物。
【請求項３】
シート加工物がパンツ類である請求項１記載の沈痛消炎用シート加工物。
【考案の詳細な説明】
【技術分野】
【０００１】この考案は、主に身体の痛みや炎症などの症状に対応するために用いられる沈痛消炎用シート加工物に関する。
【背景技術】
【０００２】筋肉痛その他の諸症状を緩和させるために様々な貼付材や塗布材、或いは特殊絆などが各種用いられているのは周知の通りである。皮膚に軟膏類を直接塗り、或いはガーゼに塗ってこれを貼付するのもそれらの一つであるが、最近ではその軟膏類の中にフェライトのような磁性体の粉末を混合し、これを着磁することにより、患部に磁場を面状に与える試みもなされている。
【考案の開示】
【考案が解決しようとする課題】
【０００３】
【０００４】このような磁性体粉末を混合した貼付材は本考案者も既に各種試みているが、実際に使用するにあたり、軟膏類の塗布作業がかなり面倒であるばかりか、磁性体粉末は一般に黒色を呈するため、あたかもペンキを塗る作業のように周辺を汚したり、その汚れがなかなか落ちないなどの問題点があった。【０００５】かかる問題点を解決して使用時に塗布作業を要せず、周辺も汚さないと同時に、衣服のような三次元的形態にも二次加工でき、かつ着磁可能な沈痛消炎用シート加工物を提供することを、本考案は課題とする。
【課題を解決するための手段】
【０００６】身体に近接して用いられるシート加工物において、シート本体１の少なくとも片面に粉末状磁性体Ａを混合した塗材２を積層させて、本考案の沈痛消炎用シート加工物とする。【０００７】本考案でいうシート加工物は、身体に近接して用いられるものであるから、布などのシート本体１を用いた衣服類や敷布類、或いはサポーター等が該当するのであるが、具体的には特に、身体装着用サポーター、パンツ類、或いは腹巻類（これらも本考案では身体装着用サポーターの一種とみなす）等が本考案に適している。勿論、単なる二次元的形態のシート体であってもよい。【０００８】粉末状磁性体Ａは、コストや分散性などの点からフェライト粉末が適しており、これをエラストマーその他適当な硬化性バインダーや必要に応じた他の補助粉末とともに混練して塗材２とし、これを上記シート本体１上に塗布、浸漬、或いはシルクスクリーン方式などの印刷手段によって積層させるものとする。【０００９】粉末状磁性体Ａを含有する塗材２が積層された本考案のシート加工物は、これに予め、或いは使用直前に、強力磁石を当てがうなどして積層部分を着磁させることができる。これが次に述べるような効果を発揮する。
【考案の効果】
【００１０】本考案によれば、粉末状磁性体配合の塗材が塗布（積層）されたシート加工物であるから、これに磁気を与えて着磁させることにより、人体に近接して使用する際には、その磁気が面状に人体に作用し、しかもかかるシート加工物は普通の布生地と同様、衣服やサポーターのような人体にフィットする形状に任意に形成されるものであるから、違和感なく長時間使用することによって磁気作用を十分に享受できるという効果がある。
【考案を実施するための最良の形態】
【００１１】綿やポリエステル等から成る通常の衣料用布地又はこれを用いたパンツ等の表面に、ウレタン樹脂や酸化チタン、海面活性剤、水等から成るバインダーにフェライト粉末を約３０Ｗ％混合した塗材をベタ塗り、もしくはシルクスクリーン印刷法でパターン状に約０．２ｍｍ厚に塗布（積層）し、乾燥・硬化後、ネオジウム磁石又は電磁石を用いて着磁し、沈痛消炎用シート加工物として製品化する。なお本考案はかかる例に限定されるものでないことは言うまでもない。
【産業上の利用可能性】
【００１２】上記の本考案の沈痛消炎用シート加工物は甚だ使い勝手が良くてニーズが高く、製造も量産が容易であるから、産業上の利用可能性は十分にあるといえる。
【図面の簡単な説明】
【００１３】
【図１】本考案の部分拡大断面図
【図２】本考案の身体装着用サポーター例を示す見取図
【図３】本考案のパンツ例を示す見取図
【符号の説明】
【００１４】  １……シート本体
２……塗材
Ａ……粉末状磁性体
【図１】
0003139456.tif 000003
【図２】
0003139456.tif 000004
【図３】
0003139456.tif 000005
(57)【要約】      （修正有）【課題】製麺用粉水混和機において、ボディ内に残る麺生地滓をかんたんに、かつ、衛生的に除去する方法および装置を提供する。【解決手段】粉水混和機の通常の上蓋２とは別に、熱風乾燥機４を搭載した乾燥蓋３を設けて、ミキシング作業終了後の掃除のさいにこの乾燥蓋でボディ１を密閉してボディ内に熱風を充満させ、麺生地残渣を乾燥させ剥がれやすい状態にして掃除する。【選択図】図１
0003139437.tif 000002
【実用新案登録請求の範囲】
【請求項１】
麺生地を得るために小麦粉と水を混ぜ合わせて練る混和機において、麺生地排出後のボディ内に付着する麺生地滓の掃除を容易にする目的で、ボディ内に熱風を送って乾燥させ、麺生地滓を剥がしやすい状態にして、エアーガンなどで麺生地滓を吹き飛ばして掃除する方法。
【請求項２】
麺生地を得るために小麦粉と水を混ぜ合わせて練る混和機において、麺生地排出後のボディ内に付着する麺生地滓の掃除を容易にする目的で、ボディ内に熱風を送って乾燥させ、麺生地滓を剥がしやすい状態にして、エアーガンなどで麺生地滓を吹き飛ばす方法を採用した、掃除容易な製麺用粉水混和機。
【考案の詳細な説明】
【考案の詳細な説明】
【技術分野】
【０００１】  本考案は、掃除しやすい製麺用粉水混和機に関するものである。
【背景技術】
【０００２】  製麺用粉水混和機では、種類の異なる麺の製造に移るか、あるいは翌日の麺製造に備える場合、最終バッチで粉と水をボディ内で混合・混練したあと麺生地をボディから排出し混和機のボディ内を綺麗に掃除することが、衛生上また異物混入防止上、必要不可欠な作業となっている。従来の製麺用粉水混和機では、ボディ内の麺生地残渣を人手によりスケッパーなどでこそげ落とすか、あるいは水洗いして、ボディ内の掃除を行なっていた。
【考案が解決しようとする課題】
【０００３】  人手によるこそげ落としは時間のかかる面倒な作業であり、また水洗いは洗浄水の排水方法の問題や水洗いしきれなかった残渣の腐敗の問題などが存在し、十分な掃除方法とは言いがたい。
【０００４】  本考案の目的は、製麺用粉水混和機のボディ内の掃除をかんたんに、しかも衛生的に実施する方法及び装置を提供することにある。
【課題を解決するための手段】
【０００５】  自然乾燥した麺生地の残渣がかんたんに掃除できることは、経験的に周知のことである。しかし自然乾燥では時間がかかりすぎるから、残渣を熱風乾燥して短時間に掃除しやすい状態にすれば、短時間でしかも衛生的な掃除方法が実現できる。
【考案を実施するための最良の形態】
【０００６】  本考案の粉水混和機でボディ内の麺生地残渣を取り除く場合、攪拌装置を内蔵したボディ内に粉を投入し、給水装置が付いた上蓋を閉めて散水しながらボディ内で粉と水を攪拌混合し、練りあがったらボディを反転して練り生地を取り出し、ボディを元の位置に戻して熱風乾燥機付きの乾燥蓋を閉じて熱風をボディ内に充満させ、麺生地残渣を乾燥させて剥離容易な状態にし、乾燥蓋を開けてエアーガンなどで乾燥した残渣を吹き飛ばし除去する。
【実施例】
【０００７】  図１から図３には、本考案に係る掃除容易な製麺用粉水混和機の一例が示されている。当該混和機は、攪拌装置を内蔵したボディ：１、給水装置が付いた上蓋：２、熱風乾燥機：４を搭載した乾燥蓋：３から構成されていて、それぞれ支軸を中心に回転可動となっている。【０００８】  図１の（ａ）においてボディ１を傾けて粉を投入し、図１の（ｂ）において上蓋を閉めて散水しながら粉と水を混和・混練し、図２の（ｃ）において練りあがったら上蓋を開けボディを反転して練り生地を排出し、図２の（ｄ）においてボディを元の位置に戻し乾燥蓋を閉じボディ内に熱風を送ってボディ内を熱風で乾燥し、図３の（ｅ）において乾燥蓋を開けボディを斜め上に戻しエアーガンなどで乾燥した麺生地残渣を除去する。
【考案の効果】
【０００９】  製麺用粉水混和機のこのような方法による麺生地残渣掃除は、作業がきわめて容易で、しかも、湿った麺生地残渣による腐敗汚染から練り生地を守ることができる。
【図面の簡単な説明】
【図１】本発明に係る製麺用粉水混和機の一例において、粉投入状態（ａ）およびミキシング状態（ｂ）を示す。
【図２】本発明に係る製麺用粉水混和機の一例において、練り生地排出状態（ｃ）およびボディ内乾燥状態（ｄ）を示す。
【図３】本発明に係る製麺用粉水混和機の一例において、エアーガンなどによる乾燥麺生地残渣除去状態（ｅ）を示す。
【符号の説明】
１→攪拌装置内蔵のボディ
２→給水装置の付いた上蓋
３→乾燥蓋
４→熱風乾燥機
【図１】
0003139437.tif 000003
【図２】
0003139437.tif 000004
【図３】
0003139437.tif 000005
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
麺生地を得るために小麦粉と水を混ぜ合わせて練る混和機において、給水装置の付いた従来の上蓋とは別個に、熱風発生器を搭載した乾燥上蓋を設け、粉水混和作業後に混和機ボディ内に熱風を送り込んで、ボディ内に残った麺生地滓を剥がしやすい状態にすることを特徴とする粉水混和機。
(57)【要約】【課題】本考案はいろいろ吸込口体を取換えなくても  たて、よこ、斜め、くの字  等  全ての掃除箇所に対応できる吸込口体ができないか。  又  必要以上に強い力で吸込口に物体を吸い付けてしまい  吸着物体を手で取り除かないと次の仕事ができないと云った不便さを解消した吸込口体はできないか。【解決手段】  吸込口体の傾斜した２面の内壁と  掃除機の円い吸入パイプの先端の接点効果  により  たて、よこ、斜め、くの字に自由自在に吸込口体を方向転換できるようになる。  又  わざと作った吸込口体と吸入パイプ間の隙間効果により  吸込口に吸い付いた吸着物を  作業する人のちょっとした吸入パイプの振りの動作により吸入口より簡単に離して取り除くことができ  次から次へと仕事がはかどる。【選択図】図１
0003139435.tif 000002
【実用新案登録請求の範囲】
【請求項１】
電気掃除機に連結した円い吸入パイプの先端部と吸込口体の接合部が密着しないで  わざと隙間ができるように吸込口体の２面の内壁を吸気口に向って扇形の傾斜の面にする。
【請求項２】
吸込口体が電気掃除機に連結した吸入パイプより外れ落ちないように吸込口体に  連結帯又は紐を付け、この連結帯又は紐を吸入パイプに固定するバンドに接続させる。
【考案の詳細な説明】
【技術分野】
【０００１】本考案は吸込口体が電気掃除機に連結した吸入パイプの先端で  たて、よこ、斜め  くの字に  自由自在に方向転換でき  全ての掃除箇所に対応できる物である。
【背景技術】
【０００２】掃除箇所によって細い筒状の吸込口体、ブラシ付の吸込口体等に  その都度付け換える必要があった  又それらを使用中に前の吸気口に物体が吸着してしまい  その都度吸着物を手で取ってやらなければ次の仕事に移れない不便さがあった。
【考案の開示】
【考案が解決しようとする課題】
【０００３】全ての掃除箇所にでも吸込口体を取り換えないで対応できないか  使用中に吸気口の入り口に完全に物体が吸着しないで仕事の能率を向上できないか
【課題を解決するための手段】
【０００４】吸込口体の形を変えてみた。
電気掃除機に連結した円い吸入パイプの先端部と吸込口体の接合部が密着しないで  わざと隙間ができるように吸込口体の内壁を吸気口に向って扇形の２面の傾斜面にし吸込口体が電気掃除機の吸入パイプの先端で固定されないで  ぶらぶら状態にし  電気のスイッチを入れると  吸込口体が吸入パイプに吸着し  その先端で  たて、よこ、斜め、くの字にと  自由自在に方向転換ができ全ての掃除箇所に対応できる  又  わざと作った隙間効果により  吸気口の入り口を吸着物体が塞いだ場合  吸込口体と吸入パイプとの隙間より適当に吸気をパイプに吸入し必要以上に強過ぎた吸気口の吸引力を弱めてみた。
【考案の効果】
【０００５】電気掃除機の吸入パイプの先端で、吸込口体の方向を自由自在に転換ができ  次から次へと作業ができた。又  吸込口体の吸気口入り口に物体が吸着して離れない場合  作業する人が吸入パイプを微妙に振ってやる事により  吸込口体より吸着物が離れて  次から次へと能率のよい連続した仕事ができた。そこで作業者の負担を大幅に軽減でき  作業時間の短縮も図れた。
一般の吸入パイプ付の電気掃除機であれば  製造会社が違い  吸入パイプの太さが  違っていてもそれぞれに対応し着けて使用できた。
【図面の簡単な説明】
【０００６】
【図１】本考案のぶらぶら吸込口体の本体と吸入パイプにぶらぶら吸込口体を固定するバンドと連結帯等の斜視図である。
【図２】吸込口体の平面図である。
【図３】吸込口体の側面図である。
【図４】吸込口体の側面断面図と  掃除機に通電した時  掃除機の吸入パイプの先端に吸込口体が吸着したときの  吸込口体と吸入パイプとの関係図である。
【図５】吸込口体の平面断面図と  掃除機に通電した時  掃除機の吸入パイプの先端に吸込口体が吸着したときの  吸込口体と吸入パイプとの関係図である。
【符号の説明】
【０００７】１  吸込口体    ２  吸込口体を掃除機の吸入パイプに固定するバンド
３  連結帯    ４  掃除機本体の吸入パイプ    ５吸込口体と吸入パイプ間の隙間
【図１】
0003139435.tif 000003
【図２】
0003139435.tif 000004
【図３】
0003139435.tif 000005
【図４】
0003139435.tif 000006
【図５】
0003139435.tif 000007
【手続補正書】
【提出日】平成19年11月7日(2007.11.7)
【手続補正１】
【補正対象書類名】実用新案登録請求の範囲
【補正対象項目名】全文
【補正方法】変更
【補正の内容】
【実用新案登録請求の範囲】
【請求項１】
電気掃除機に連結した吸入パイプより外れ落ちないように吸込口体に連結帯又は紐を付け、この連結帯又は紐を吸入パイプに固定するバンドに繋ぎ、電気掃除機に連結した円い吸入パイプの先端部と吸込口体の接合部が密着しないでわざと隙間ができるように吸込口体の２面の内壁を吸気口に向って扇形の傾斜の面にしたことを特徴とする電気掃除機のぶらぶら吸込口体。
(57)【要約】      （修正有）【課題】断熱、結露防止、健康、防音、安全、防災等の相互作用が見込める多機能ペアガラスを提供する。【解決手段】単板ガラスの入ったアルミサッシの室内側ガラス外周部分に断熱性素材のスペーサーを貼付し、さらにその上に窓サイズ同型に切断した透明ポリカーボネイト板をはめ込み、アルミテープでアルミサッシの室内側ガラス外周部とポリカーボネイト板の外周をすき間なく埋めることにより単板ガラスとポリカーボネイト板との間に空気層を新たに作成し、より高い断熱効果を主な特徴とする多機能ペアガラス。【選択図】図２
0003139433.tif 000002
【実用新案登録請求の範囲】
【請求項１】
単板ガラスの入ったアルミサッシの室内側ガラス外周部分に断熱性素材のスペーサーを貼付しさらにその上に窓サイズ同型に切断した透明ポリカーボネイト板をはめ込みアルミテープでアルミサッシの室内側ガラス外周部とポリカーボネイト板の外周をすき間無く埋めることにより単板ガラスとポリカーボネイト板との間に空気層を新たに作成しより高い断熱効果を主な特徴とする多機能ペアガラス
【考案の詳細な説明】
【産業上の利用分野】
【０００１】この考案は、従来の単板ガラスとスペーサーとを貼付し透明ポリカーボネイトとの間に空気層を新たに作成することにより高い断熱効果をもたらすことの出来る多機能ペアガラスに関する。
【背景技術】
【０００２】従来の単板ガラスは室内外ともに単一素材の為、熱伝導率が高く、室外側表面温度の変動に起因し、室内側表面温度の連動が起こりやすくなっていた。【０００３】また室内温度の変動によりエアコン等の冷暖房設備を多用しなくてはならなかった。【０００４】且つ室内温度と室外温度の温度差により結露が発生しやすくなっていた。
【考案の開示】
【考案が解決しようとする課題】
【０００５】従来の単板ガラスは室内外ともに単一素材の為、熱伝導率が高く、室外側表面温度の変動が、室内側表面温度の変動により室内側気温の変化に連動していた。【０００６】従来の単板ガラスでは耐衝撃性に弱く、室内側からの衝撃が加わった時破損しやすくまた破損したガラスが飛散した場合、怪我のおそれがあった。
室外側からも飛来物等の衝撃により同様の現象が懸念されていた。
【課題を解決するための手段】
【０００７】本考案は上記課題を解決するため、従来の単板ガラスの入ったアルミサッシの室内側ガラス外周部分にスペーサーを貼付し、その上から透明ポリカーボネイトをアルミテープで固定し新たな空気層を設けることの出来る多機能ペアガラスである。【０００８】第２の課題解決手段は、室内外からの衝撃に対しガラスの破損及び飛散を防ぐことを目的としたポリカーボネイトを貼付したものである。【０００９】上記第１の課題解決手段による作用は次の通りである。
すなわち単板ガラスでは室内外とも単一素材の為、室外側の気温が、室内側のガラス面へ熱伝導しやすくなるという現象が起きていたが室内側へポリカーボネイトを貼付し新たな空気層を設けることにより室内表面温度の変化を少なくすることが出来る。【００１１】且つ結露によるカビの発生等も抑えることが出来る。【００１２】上記第２の課題解決手段による作用は次の通りである。
単板ガラスに比べポリカーボネイトの方が耐衝撃性に強く、破損によるけがのおそれも少なくなる。室内側からの衝撃は勿論のこと、室外側からの飛来物に対する衝撃に関してもさらに安全性を向上させることが出来る。
【実施例】
【００１３】図２において単板ガラス２の入ったアルミサッシ枠１の室内側アルミサッシ外周部分に断熱性素材のスペーサー３を貼付けし窓同サイズのポリカーボネイト４をはめ込みアルミサッシ枠１とポリカーボネイト４の外周をアルミテープ５ですき間なく埋めることにより現状の単板ガラスを断熱効果の高いペアガラスとする。
【考案の効果】
【００１４】この多機能ペアガラスは、単板ガラスとの間に新たな空気層を設けることにより室外側の熱を室内側へ伝えにくくする断熱効果が見込める。
さらに温度変化が少なくなることから、結露の発生等を防ぐことが出来る。
結露の発生を防ぐことによりカビの発生を抑えることが出来、健康的な住環境を創り出すことが出来る。
また単板ガラスの場合より新たに設けた空気層により伝播音や、振動音が伝わりにくくなり防音効果も見込める。
さらに室内側にポリカーボネイトがはめ込まれている為、地震等でガラスが破損した場合でも室内側に飛散するのを防ぐことから防災上の効果も期待できる。
以上、説明の通り、この考案は、断熱、結露防止、健康、防音、安全、防災等の相互作用が見込める。
【図面の簡単な説明】
【００１５】
【図１】本課題の実施形態を示す前のアルミサッシ枠全体正面図
【図２】本課題の実施形態を示すアルミサッシ枠全体正面図
【図３】同アルミサッシ枠の図１におけるＡ−Ａ線断面図
【図４】同アルミサッシ枠の図２におけるＡ−Ａ線断面図
【符号の説明】
【００１６】１  アルミサッシ枠
２  単板ガラス
３  スペーサー
４  ポリカーボネイト板
５  アルミテープ
【図１】
0003139433.tif 000003
【図２】
0003139433.tif 000004
【図３】
0003139433.tif 000005
【図４】
0003139433.tif 000006
(57)【要約】      （修正有） 【課題】汗を吸収したスポーツウェアを上の服を脱がずに簡単に脱ぐ事ができるスポーツウェアを提供する。【解決手段】試合前の練習の際に、試合用ユニフォームの下に両肩部分と片側脇の部分全てに着脱可能な部材を装着した。着脱可能な部材を着脱する事で両肩部分、片側脇部分全部が外れるスポーツウェアを着用する。練習後、汗を吸収したスポーツウェアを脱ぐ為には、試合用ユニフォームを着たままスポーツウェアの両肩部分の着脱可能な部材と片側の脇の部分の着脱可能な部材を外し、スポーツウェアの着脱可能な部材が装着されている反対側の脇の部分を掴み、そのまま掴んでる脇の斜め下方にスポーツウェアを引っ張りだす。【選択図】図１
0003139438.tif 000002
【実用新案登録請求の範囲】
【請求項１】
袖のないスポーツウェアとして両肩部分と片側の脇の部分に着脱可能な部材
を装着した。着脱可能な部材を着脱する事で両肩部分、片側脇部分が全部外れ
簡単にスポーツウェアを脱ぐ事を特徴としたスポーツウェアである。
【考案の詳細な説明】
【技術分野】
【０００１】
本考案は、簡単に脱ぐ事ができるスポーツウェアに関するものである。
【背景技術】
【０００２】
従来はスポーツ時の試合前などの練習の際は汗をかく為、試合用のユニフォーム
ではなく、練習用のウェアを着て、練習をし、試合直前に練習用のウェアから
試合用のユニフォームに着替えをしていた。
この際には練習用のウェアを脱いで、一度裸の状態になり試合用のユニフォームを
着用している。
【考案の開示】
【考案が解決しようとする課題】
【０００３】
スポーツ時の試合前に練習用ウェアから試合用のユニフォームに着替えをする
際、一度裸にならないといけないので、女性などは、更衣室がないと着替える事
ができなかった。
【０００４】
本考案はこのような従来の問題点を解決しようとするもので、汗のかいた
スポーツウェアを周囲の人目を気にせず、上の服を着たままで簡単に脱ぐ事ができるスポーツウェアを提供する事を目的とするものである。  
【課題を解決するための手段】
【０００５】
試合前の練習の際に、試合用ユニフォームの下に請求項１で記載した両肩部分
と片側脇の部分全てに着脱可能な部材を装着した。着脱可能な部材を着脱する事
で両肩部分、片側脇部分全部が外れる事を特徴とするスポーツウェアを着用する。
【０００６】
練習後、汗を吸収したスポーツウェアを脱ぐ為には、試合用ユニフォームを着たままスポーツウェアの両肩部分の着脱可能な部材と片側の脇の部分の着脱可能な部材を外し、スポーツウェアの着脱可能な部材が装着されている反対側の脇の部分を掴み、そのまま掴んでる脇の斜め下方にスポーツウェアを引っ張りだす。
【考案の効果】
【０００７】
本考案によれば、上の服を脱がずに簡単にスポーツウェアを脱ぐ事ができる。
【０００８】
これにより、着替えの際に裸になる必要もなく、特に女性は周囲の人目を気に
せず、着替えをする事を簡単に行う事ができる。
【実施例】
【０００９】
本考案のスポーツウェアは図１、図２に示されるように、
スポーツウェア本体１。着脱可能な部材２から構成される。
以下、着脱可能な部材を例として面ファスナーと呼ぶ。  
【００１０】
次に動作について説明します。
上の服を脱がずにスポーツウェアを脱ぐには、右肩部分全部の２a、左肩部分全部
２b、左側脇部分２c、左側部分２dの面ファスナーを外します。全ての面ファスナーが外れたら、図１の右側脇部分Ａを掴み、図の矢印の方向に引っ張り出します。
これで、作業は完了します。
【産業上の利用可能性】
【００１１】
上述の考案は、運動時など、周囲の人目が気になる場所で着替えを行う場合、上の服を脱がずに汗を吸収したスポーツウェアを簡単に脱ぐ事に利用可能である。
【図面の簡単な説明】
【００１２】
【図１】本考案の実施例を示す、スポーツウェアの正面図である。
【図２】本考案の実施例を示す、スポーツウェアの背面図である。
【符号の説明】
【００１３】
１・・・スポーツウェア本体。
２a・・・右肩部分、着脱可能な部材の装着位置。
２b・・・左肩部分、着脱可能な部材の装着位置。
２c・・・左側脇上部、着脱可能な部材の装着位置。
２d・・・左側脇下部、着脱可能な部材の装着位置。
Ａ・・・スポーツウェアを引っ張り出す際に掴む部分。
【図１】
0003139438.tif 000003
【図２】
0003139438.tif 000004
【手続補正書】
【提出日】平成19年12月5日(2007.12.5)
【手続補正１】
【補正対象書類名】実用新案登録請求の範囲
【補正対象項目名】全文
【補正方法】変更
【補正の内容】
【実用新案登録請求の範囲】
【請求項１】
袖のないスポーツウェアであって、両肩部分と片側の脇の部分に着脱可能な部材が設けられており、着脱可能な部材を着脱する事で両肩部分と左側脇部分が全部外れるように、成した事を特徴とするスポーツウェア。
(57)【要約】      （修正有）【課題】狭くて配管施工で環境の悪い条件の場所での、より正確な配管施工、施工コストの低減は、困難を極めていた。そこで、より正確な切断が出来、切断失敗による、施工コストの無駄を省き、円周方向任意の位置で配管勾配の確認が容易となるため、配管作業が正確に施工可能となり、作業におけるストレス、疲労を防ぐことも可能な定規を提供する。【解決手段】手で押え支えさせて、手動の鋸で切断するパイプ９のサイズを自由にできるＬ字形とし、パイプにマーキング不要で正確に切断可能な鋸ガイド用切込み２を入れたＬ字形パイプ切断水平器付き定規１である。また、Ｌ字形の頂部に、水準器３を備え、パイプ円周５の任意の位置でも勾配が容易に確認出来るＬ字形パイプ切断水平器付き定規である。【選択図】図２
0003139473.tif 000002
【実用新案登録請求の範囲】
【請求項１】
Ｌ字形の部材に、鋸が通る、切り込み溝を入れたことを特徴とした、Ｌ字形パイプ切断水平器付き定規。
【請求項２】
前期の上部に水準器を取り付けたことを特徴とする請求項１の記載のＬ字形パイプ切断水平器付き定規。
【考案の詳細な説明】
【技術分野】
【０００１】この考案は、配管施工における、配管勾配の確認とパイプを正確に切断する、Ｌ字形パイプ切断水平器付き定規の構造に関する。
【背景技術】
【０００２】従来、狭い悪環境の配管施工での、硬質ビニール管等の手動による正確な切断は、パイプにマーキングしてそれに沿って手鋸で切るか、熟練した能力で切断していた。また、配管の勾配は、パイプの上部に水平器を当て確認していた。
【考案の開示】
【考案が解決しようとする課題】
【０００３】しかしながら、以上の工法によれば、熟練が必要であり、特に近年の一般住宅の工法では、床板を先に施工してから床下の狭い場所での配管作業が多く、床下でパイプを正確にパイプの円周に沿って切断するには、機械使用は不可能であり、パイプを手で押さえ支えて手鋸で切断していた。以上の工法では、狭い場所のため、作業環境、姿勢も悪く、疲労も早くなり、正確にパイプの円周に沿って切断するのは困難であった。したがって、切断修正の回数も多くなり、パイプの無駄も多く、施工コストも高くついた。
また、パイプの上部の空きが狭い場合が多く、水平器をパイプの上部に当てての勾配の確認は困難であったが  そこで、この考案は、パイプの押さえを容易にし、切断も正確に出来、パイプの周囲任意の位置で、パイプ勾配の確認も容易にし、正確に配管施工が出来る、Ｌ字形パイプ切断水平器付き定規を提供することを課題とする。【０００４】  以上の課題を解決するために、第一考案は、手で押え支えせえて、手動の鋸で切断するパイプのサイズを自由にできるＬ字形とし、パイプにマーキング不要で正確に切断可能な鋸ガイド用切込みを入れたことを特徴とするＬ字形パイプ切断水平器付き定規である。
また、第二考案は、Ｌ字形の頂部に、水準器を備え、パイプ円周の任意の位置でも勾配が容易に確認出来ることを特徴とするＬ字形パイプ切断水平器付き定規である。
【考案の効果】
【０００５】第一考案、第二考案によれば、本体１をＬ字形にしたため、パイプサイズの大小にかかわらず、パイプの押さえ支えが容易に確実に出来、切断の際、軸方向６にズレないようにして、鋸８のガイド用切り込み溝２に鋸８を入れて切断できるようにしたため、正確に切断することができ、一定の深さまで切断をして、このＬ字形パイプ切断水平器付き定規を外して切断しても、この切断口がガイドとなり、正確な切断も可能である。また、大口径パイプにマーキングして切断する場合でも、定規の端４にペン等をあて、軸方向６にずれないようパイプの円周方向５に回転させるか、定規を移動することにより、円周方向５に正確にマーキングすることも可能である。Ｌ字形の頂部に、水準器３を備えたため、円周方向５の任意の位置でも、配管勾配が確認でき、配管施工が容易に正確に出来る。
【考案を実施するための最良の形態】
【０００６】  この考案の一実施形態を、図１に示す。
Ｌ字形パイプ切断水平器付き定規の本体１は、硬質塩化ビニール製あるいは金属製のＬ字形であり、その本体１に、鋸８が入り通る、切り込み溝２を入れ、頂部に水準器３を備えた。【０００７】「実施形態の効果」
この実施形態によれば、構造が簡単で軽量のため、持ち運びが容易であり、製作コストが安いため、多くの利用者の便宜を図ることが可能である。
【産業上の利用可能性】
【０００８】本体１を廃材硬質塩化ビニールが、再利用できるため、地球環境改善に協力可能。
【図面の簡単な説明】
【０００９】
【図１】この考案の一実施形態を示す斜視図である。
【図２】この考案の一実施形態を示す利用実態図である。
【図３】この考案の一実施形態を示す利用実態図である。
【符号の説明】
【００１０】１  本体    ２  切り込み溝    ３  水準器    ４  端    ５  円周方向
６  軸方向    ７  切断小口径パイプ５０φ〜６５φ    ８  鋸    ９  標準切断パイプ７５φ〜１００φ
【図１】
0003139473.tif 000003
【図２】
0003139473.tif 000004
【図３】
0003139473.tif 000005
(57)【要約】      （修正有）【課題】バイオマスプラスチックを用い、射出成形された鳥の置物であり、それは一体成形された補助棒により手を汚さず容易に着色することができる置物の提供。【解決手段】鳥の置物本体１に附属している補助棒２の使用により手を汚さず容易な着色に役立つ。【選択図】図１
0003139478.tif 000002
【実用新案登録請求の範囲】
【請求項１】
置物本体にバイオマスプラスチック素材で一体成形された補助棒を設けたところを特徴とする鳥の置物。
【考案の詳細な説明】
【技術分野】
【０００１】  本考案はバイオマスプラスチック素材を成形加工した鳥の置物に関するものである。
【背景技術】
【０００２】  通常のプラスチック素材は絵の具の吸収が悪いため、乾きが遅く絵の具との相性が良くない。又バイオマスプラスチック素材の着色性はまだ知られていなかった。
【考案の開示】
【考案が解決しようとする課題】
【０００３】  プラスチック素材への絵の具による着色（色付け）は性質的に困難であり絵の具が乾燥するまでに時間がかかるので効率的ではない。従って絵の具の吸収の良いバイオマスプラスチック素材を加工した鳥の置物は色付けが容易になり、補助棒を一体成形することにより手を汚さず、楽に色付けが可能になり前述の欠点を解決するものである。
【課題を解決するための手段】
【０００４】  本考案は置物に色付けをすることを前提とするものであり、主成分を木材としているため水分の吸収率が良いバイオマス素材を用いる事により、色むらがなく乾きが早い。且つ置物と一体成形された補助棒の使用により問題を解決している。
【考案の効果】
【０００５】  前述の様に本考案の鳥の置物はバイオマスプラスチックの使用により、二酸化炭素の排出削減は勿論、限りある石油資源の節約、廃棄物の再利用にも貢献している。又着色性の良いこの素材は絵の具がにじまず、乾きが早いのが特徴である。しかも、補助棒の使用により絵の具の汚れの問題から解消されあらゆる角度から色付けに役立つ。
【考案の実施するための最良の形態】
【０００６】  バイオマスプラスチック素材を用いて、射出成形によって加工された鳥の置物に附属している補助棒を使用し、効率的な着色作業が可能になる。
【実施例】
【０００７】  以下、添付図面に従って説明する。１、耐久性のあるバイオマスプラスチック素材にて成形された鳥置物本体。２、本体と同一素材で成形された着色を容易にするための補助棒である。
【産業上の利用可能性】
【０００８】  上述の考案は資源の再利用を促進させ、着色性の良さから学校教材として利用可能である。
【図面の簡単な説明】
【０００９】
【図１】  本考案の鳥の置物の実施例を示す正面図である。
【図２】  本考案の鳥の置物の一部切欠断面図である。
【符号の説明】
【００１０】  １    鳥の置物本体
２    補助棒
【図１】
0003139478.tif 000003
【図２】
0003139478.tif 000004
(57)【要約】      （修正有）【課題】座布団本体の内部に、台形部材と平板部材を組み合わせたト形部材を設けることによって、おならの音が座布団の外部に出ることを防止する。【解決手段】座布団の内部に、スポンジ７、台形部材２と平板部材３を組み合わせたト形部材４を設けることにより、おならの音を防ぐことができ、その周囲に備長炭６が分散した綿５、香水またはベビーパウダーを設けることによって、おならのにおいも消すことができる。【選択図】図１
0003139475.tif 000002
【実用新案登録請求の範囲】
【請求項１】
座布団の内部にト形部材を設けたことを特徴とする座布団。
【請求項２】
備長炭を入れることを特徴とする請求項１に記載の座布団。
【請求項３】
香水を用いることを特徴とする請求項２に記載の座布団。
【請求項４】
ベビーパウダーを用いることを特徴とする請求項２に記載の座布団。
【考案の詳細な説明】
【技術分野】
【０００１】  本考案は、台形部材と平板部材を組み合わせたト形部材を設けた、座布団に関するものである。
【背景技術】
【０００２】  おならをした場合、おならのにおいとおならの音を周囲の人に気づかれないようにすることは、難しかった。
【考案の開示】
【考案が解決しようとする課題】
【０００３】  したがって、座布団の内部に台形部材と平板部材を組み合わせたト形部材を入れることにより、前述の欠点を解決するものである。
【課題を解決するための手段】
【０００４】  本考案は、座布団の内部に台形部材と平板部材を組み合わせたト形部材を設け、おならの音が、座布団の外部に漏れることを防ぎ、ト形部材の周囲に、備長炭が分散した綿を配置させることにより、おならのにおいを備長炭の内部に吸収させ、香水またはベビーパウダーを用いることにより、快適な座布団とすることにより、問題点を解決している。
【考案の効果】
【０００５】  本考案のオナラのにおいと音を出さない座布団は、大人から子供まで、他人に気づかれることなく、おならをすることができるので、無理に我慢するなどしてストレスをためることないので、体に負担をかけることなく、よい効果を得ることができる。
【考案を実施するための最良の形態】
【０００６】  座布団本体の内部に、スポンジ、台形部材と平板部材を組み合わせたト形部材、備長炭が分散した綿を下から順に入れることによって、本考案の座布団を構成し、ト形部材を用いることにより問題を解決している。
【実施例】
【０００７】  以下、添付図面に従って一実施例を説明する。１は、座布団全体を示し、３は、台形部材２と平板部材３を組み合わせることによって作られたト形部材を示した。５は、座布団の弾力性を得るために用いられる綿を示した。６は、おならのにおいを吸収するために用いている備長炭を示した。
【図面の簡単な説明】
【０００８】
【図１】本考案のオナラのにおいと音を出さない座布団の一実施例を示した平面図である。
【図２】本座布団の内部に設ける台形部材と平板部材を組み合わせたト形部材を示した平面図である。
【図３】本座布団の内部に設けるト形部材を示した横面図である。
【図４】本座布団を示した断面図である。
【符号の説明】
【０００９】１  座布団
２  台形部材
３  平板部材
４  ト形部材
５  綿
６  備長炭
７  スポンジ
８  座布団カバー
【図１】
0003139475.tif 000003
【図２】
0003139475.tif 000004
【図３】
0003139475.tif 000005
【図４】
0003139475.tif 000006
(57)【要約】      （修正有）【課題】ギターの音を拡声するためのギターマイクをギター本体に取り付ける場合、ギター本体への加工を全く無くして取り付けられるようにする。【解決手段】マイク部の裏面を両面テープでギターのブリッジ台に固定し、接続プラグ部を吸盤でギター本体の側面に固定する。【選択図】図１
0003139468.tif 000002
【実用新案登録請求の範囲】
【請求項１】
マイク部の裏面を両面テープでギターのブリッジ台に固定し、接続プラグ部を吸盤でギター本体の側面に固定することにより、ギター本体への加工を全く無しで取り付けられる事を実現したギターマイク。
【考案の詳細な説明】
【考案の開示】
【考案が解決しようとする課題】
【０００１】ギターの音を拡声するためのギターマイクをギター本体に取り付ける場合、本体に穴を開けたり、部品を削るなどの加工を行い、ギター本体の損傷を伴って、取り付けしなければならないという問題点があった。
【課題を解決するための手段】
【０００２】マイク部の裏面を両面テープでギターのブリッジ台に固定し、接続プラグ部を吸盤でギター本体の側面に固定することにより、ギター本体への加工を全く無しで取り付けられる事を実現した。
【考案の効果】
【０００３】ギター本体を損傷することなく、ギターマイクが簡単取り付けられる。
【図面の簡単な説明】
【０００４】
【図１】マイク取り付け全体図
【図２】接続プラグ部の取り付け図
【符号の説明】
【０００５】Ａ  ギターマイク
Ｂ  接続シールド線
Ｃ  マイクステー
Ｄ  接続プラグ
Ｅ  接続プラグを固定する吸盤
Ｆ  ギターブリッヂ台
Ｇ  ギター本体
【図１】
0003139468.tif 000003
【図２】
0003139468.tif 000004
(57)【要約】      （修正有）【課題】コンクリート境界杭において外形寸法は所定の規格を維持したまま軽量化を図り、運搬、取り扱いにおける実用強度を十分保持したコンクリート境界杭を提供する。【解決手段】コンクリート製の柱状本体２内に、両端部に節３ａを有する竹筒３を該本体の長軸方向に内設したことを特徴とする境界杭１。また、境界杭において両端部に節を有する竹筒が複数本であることを特徴とする。【選択図】図１
0003139464.tif 000002
【実用新案登録請求の範囲】
【請求項１】
コンクリート製の柱状本体内に、両端部に節を有する竹筒を該本体の長軸方向に内設したことを特徴とする境界杭。
【請求項２】
前記両端部に節を有する竹筒が複数本であることを特徴とする請求項１記載の境界杭。
【考案の詳細な説明】
【技術分野】
【０００１】  本考案は、型枠を用いてコンクリート成形した境界杭であって、より詳しくはコンクリート製柱状の境界杭の軽量化と実用強度の維持を図った境界杭に関する。
【背景技術】
【０００２】  従来から、境界杭は長期にわたる耐力が必要なことからその素材にはコンクリートが使用されることが多い。図３（ａ）は本体２に鉄筋１０を配筋した柱状のコンクリート境界杭である。このようなコンクリート境界杭は、他のプラスチック材による境界杭よりもはるかに重量があるため運搬における作業者の負担軽減が課題となっていた。とくに境界杭の設置場所は人道も無いような山間部が多く運搬の機械化は困難であった。そこで、コンクリート境界杭において軽量化を目的として内部に中空部を設けることが試みられている。【０００３】  たとえば、特開平１１−２４０００６号公報（特許文献１）にはコンクリート製品本体内部に重量軽減用の中空部を開口部なく形成したコンクリート製品を提案している。前記公報によれば、中空部を形成するための中子としては筒状プロピレン樹脂材などが記載されている。さらに、実用新案登録第３１２５７５０号公報（特許文献２）によれば、図３（ｂ）に示すようにコンクリート本体２に缶ビールなどの複数のアルミ缶１１を直列に内設して中空部分を形成することが記載されている。また、特開昭４９−２０２１５号公報（特許文献３）によれば、コンクリート内部に中空部を形成するために耐水性段ボールよりなる方形状中空型枠を内設することが記載されている。【０００４】  境界杭の内部に中空部分を設けることにより重量物であるコンクリート境界杭の軽量化は果されるが、空間部の体積を大きくすると強度の低下をまねくという問題があった。すなわち、内設する素材である樹脂材、複数のアルミ空缶およびダンボール型枠などでは、それ自体に充分な強度がなく単に中空部形成のための役割を果しているに過ぎない。
【特許文献１】  特開平１１−２４０００６号公報
【特許文献２】  実用新案登録第３１２５７５０号公報
【特許文献３】  特開昭４９−２０２１５号公報
【考案の開示】
【考案が解決しようとする課題】
【０００５】  従来の中空部を設けたコンクリート境界杭は、中空部を設けたことにより本体胴のコンクリート部の断面積が小さくなりそれに相応して強度の低下を避けることが出来なかった。コンクリート境界杭は一旦埋設されると地中で垂直に保持されたままであり浅い土圧に耐える程度の強度があればよい。しかしながら、人力で山間部に持ち込まれる境界杭は運搬および取り扱い、仮置き、保管中において、不注意による落下事故、転倒事故等においても破壊せずに耐える強度が必要である。【０００６】  本考案は、上記問題点を解決するためになされたものであって、その目的とするところは、コンクリート境界杭において外形寸法は所定の規格を維持したまま軽量化を図り、運搬、取り扱いにおける実用強度を十分保持したコンクリート境界杭を提供することにある。
【課題を解決するための手段】
【０００７】  前記課題を解決するために本考案の請求項１記載の境界杭では、コンクリート製の柱状本体内に、両端部に節を有する竹筒を該本体の長軸方向に内設したことを特徴とする境界杭。【０００８】  また、本考案の請求項２記載の境界杭では、前記請求項１記載の境界杭において両端部に節を有する竹筒が複数本であることを特徴とする。
【考案の効果】
【０００９】  本考案によれば、コンクリートからなる柱状の境界杭の本体に、両端部に節を有する竹筒を該本体の長軸方向に内設しているから、境界杭内に中空部を設けることができるのみならず節を有する竹筒の剛性によりコンクリート本体の強度低下が小さい。強度低下が少ないから運搬、取り扱い時に不用意に落下、転倒事故が生じても容易に折損、破壊が起こりにくい。さらに、境界杭本体内に複数本の竹筒を内設すると竹節の数も増え、隣接する竹筒の間隙にもコンクリートが充填され竹筒と本体コンクリートが強固に結合される。さらに素材となる竹筒は、日本の山林に自生繁茂し容易に入手でき安価であることからこれらを利用できることによる生産コスト上のメリットは大きい。
【考案を実施するための最良の形態】
【００１０】  本考案の実施例を図面に基づいて説明する。
【実施例】（実施例１）図１は本考案の境界杭１の内部構成を示す斜視図である。本体２の内部に両端部に節３ａを有する１本の竹筒３を本体２の長軸方向に内設している。図２（ａ）は境界杭本体の部分縦断面図である。本境界杭は、内部空間が四角柱状となる鋼製コンクリート型枠内に１本の竹筒を型枠と軸心を一致させ、型枠から浮かせて配置しておき、混練したコンクリートを前記型枠に流し込み固化させて作製したものである。竹筒３の両端部に節３ａを設けることにより竹筒内部にコンクリートが入り込むことなく中空部を大きく確保できる。さらに両端部に節が存在することにより竹筒自体の強度向上を図ることができる。さらに、本体に内設する竹筒の外周に鋼線（または綱、樹脂紐）などを密着してコイル状に巻く（図示せず）ことによりコンクリートと竹筒との結合強度を上げても良い。【００１１】（実施例２）図２（ｂ）は本考案の境界杭１の部分縦断面図である。本境界杭は、内部空間が四角柱状となる鋼製コンクリート型枠内に４本の竹筒（予め鋼線４で結束されている。）を型枠と軸心を一致させ、浮かせて配置しておき、混練したコンクリートを前記型枠に流し込み固化させて作製したものである。コンクリートの固化後は、境界杭本体の内部に４本の竹筒３が内設される。複数の竹筒３を内設した場合は、隣接する竹筒の間隙にコンクリートが入り込みコンクリートと竹筒が強固に結合できる。さらに、竹筒を結束した鋼線がコンクリート内に配筋されたようになり竹筒とコンクリートが強固になる。
【図面の簡単な説明】
【００１２】
【図１】本考案の実施例１を示す斜視図である。
【図２】本考案の実施例１および実施例２の部分縦断面図である。
【図３】従来のコンクリート境界杭の部分縦断面図である。
【符号の説明】
【００１３】  １  ・・境界杭
２  ・・本体
３  ・・竹筒
３ａ・・節
４  ・・鋼線
１０・・鉄筋
１１・・アルミ缶
【図１】
0003139464.tif 000003
【図２】
0003139464.tif 000004
【図３】
0003139464.tif 000005
(57)【要約】【課題】    外食時、口元や口元周辺についた汚れを、席にいながら確認できる器具を提供する。【解決手段】    飲食店等の客席に置いてある、樹脂製からなる三角形状の筒体のメニュースタンドの正面に鏡を設けたことを特徴とする。【選択図】図１
0003139469.tif 000002
【実用新案登録請求の範囲】
【請求項１】
卓上メニュースタンドの正面に鏡を設け、鏡部分にフタを設けたことを特徴とする鏡付き卓上メニュースタンド。
【請求項２】
正面の鏡部分に設けたフタにポケットを設けたことを特徴とする請求項１記載の鏡付き卓上メニュースタンド。
【考案の詳細な説明】
【技術分野】
【０００１】  本考案は、飲食店における卓上メニュースタンドに関するものである。
【技術背景】
【０００２】  従来、飲食店での飲食後、口元やその周囲に食べかす等がついていないかどうかは、席を立ちトイレに行かなければならなかった。
【考案の開示】
【考案が解決しようとしている問題】
【０００３】  そのために次のような問題点があった。
（イ）同席者にトイレに行く旨を伝えるのがわずらわしく、会話などの途中ではタイミングを計るのが難しかった。
本考案は以上の問題点を解決する為になされたものである。
【課題を解決する為の手段】
【０００４】  上記問題点を解決するため本考案は卓上メニュースタンドの正面部に鏡を設け、さらにフタを設け、フタの表面にポケットを設けたことを特徴とする鏡付き卓上メニュースタンドである。
【考案の効果】
【０００５】  トイレに行く事なく、食事の途中でも口元及びその周辺に汚れがあるかどうか確認する事が出来る。また、鏡部に設けたフタにもメニュー等のチラシを挿入する事が出来る。
【考案を実施するための最良の形態】
【０００６】  以下、本考案の実施の形態を説明する。
（イ）本体を、横断面が三角形状からなる筒体（１）の正面（３）に、鏡（４）を設ける。
（ロ）正面（３）と、側面ｂ（２ｂ）の接点に、丁番（９）にてフタ（５）を取り付ける。
（ハ）フタ（５）の表面（６）に塩ビ製のポケット（７）を両面テープで貼り付ける。
本考案は、以上の構成よりなっている。
本考案を使用する時は、両手で本体（１）を持ち、表面（３）部分に合わせておいたフタ（５）部分を開く。すると、鏡（４）部分が露出するので口元及び口周辺の汚れを確認する事が出来る。
またフタ（５）の表（６）に両面テープで貼り付けた塩ビ製のポケット（７）にチラシ等を挿入することもできる。
【図面の簡単な説明】
【０００７】
【図１】本考案の斜視図
【図２】本考案の分解斜視図
【図３】本考案の使用状態を示す斜視図
【符号の説明】
【０００８】１    筒体
２ａ  側面ａ
２ｂ  側面ｂ
３    正面
４    鏡
５    フタ
６    表面
７    ポケット
８    フタ内側
９    丁番
【図１】
0003139469.tif 000003
【図２】
0003139469.tif 000004
【図３】
0003139469.tif 000005
(57)【要約】      （修正有）【課題】看護・介護の世界でもストローの蛇腹部分を多くして、もっと使い易くする。【解決手段】吸い口の部分（４ｃｍ〜５ｃｍ）を除いた部分を蛇腹にする。そのことにより、使う人がどんな人でも違和感なく最後まで飲み干す事ができる。【選択図】図１
0003139422.tif 000002
【実用新案登録請求の範囲】
【考案の詳細な説明】
【技術分野】
【０００１】吸い口部分（４ｃｍ〜５ｃｍ）を残して全部蛇腹にすることで、今まで、以上に飲み易くなる
【背景技術】
【０００２】一般の人以上に、看護・介護関係で幅広く利用して頂ける。
飲む姿勢がどのような状況でも楽に飲む事ができる。
【考案の開示】
【考案が解決しようとする課題】
【０００３】今の曲がるストローでは、介護をしているとなかなか使い辛いものがあり、考案したストローであればどんな体勢であっても違和感なく最後まで飲み干す事ができる。
【課題を解決するための手段】
【０００４】飲み易くする為に吸い口以外全部蛇腹にする。
【考案の効果】
【０００５】飲む体勢が難しい人（ベット上・拘縮がある人など）でも、苦痛に感じなく楽に飲める。
コップの角度をいろいろ変えて悩まなくてもストローを自在に扱えば最後まで綺麗に飲み干す事が可能になる。
【考案を実施するための最良の形態】
【０００６】吸い口を４ｃｍ〜５ｃｍ残してそれ以外を全部蛇腹にする。
【実施例】
【０００７】以下の添付図面において説明をする。【０００８】
【０００９】
【図面の簡単な説明】
【００１０】
【図１】
0003139422.tif 000003
【手続補正書】
【提出日】平成19年11月7日(2007.11.7)
【手続補正１】
【補正対象書類名】実用新案登録請求の範囲
【補正対象項目名】全文
【補正方法】変更
【補正の内容】
【実用新案登録請求の範囲】
【請求項１】
ストローの吸い口部分を残して、全部蛇腹にしたことでもっとも楽に誰にでも飲むことができる、蛇腹部分を多くした所を特徴とするくねくねくねストロー。
【手続補正２】
【補正対象書類名】明細書
【補正対象項目名】全文
【補正方法】変更
【補正の内容】
【考案の詳細な説明】
【技術分野】
【０００１】  吸い口部分（４ｃｍ〜５ｃｍ）を残して全部蛇腹にすることで、今まで、以上に飲み易くなる
【背景技術】
【０００２】  一般の人以上に、看護・介護関係で幅広く利用して頂ける。飲む姿勢がどのような状況でも楽に飲む事ができる。
【考案の開示】
【考案が解決しようとする課題】
【０００３】  今の曲がるストローでは、介護をしているとなかなか使い辛いものがあり、考案したストローであればどんな体勢であっても違和感なく最後まで飲み干す事ができる。
【課題を解決するための手段】
【０００４】  飲み易くする為に吸い口以外全部蛇腹にする。
【考案の効果】
【０００５】  飲む体勢が難しい人（ベット上・拘縮がある人など）でも、苦痛に感じなく楽に飲める。コップの角度をいろいろ変えて悩まなくてもストローを自在に扱えば最後まで綺麗に飲み干す事が可能になる。
【考案を実施するための最良の形態】
【０００６】  吸い口を４ｃｍ〜５ｃｍ残してそれ以外を全部蛇腹にする。
【実施例】
【０００７】  以下の添付図面において説明をする。
【図面の簡単な説明】
【００１０】
【図１】本考案の吸い口部分を残して全部蛇腹にしたストローを示した平面図である。
(57)【要約】      （修正有）【課題】害虫等を確実に捕獲して、なお、殺虫剤等の飛散を最小限に抑える捕獲器そ提供する。【解決手段】捕獲器本体１は透明なプラスチック製であり、底面が四角である、この本体１には目の細かいメッシュ状の殺虫剤散布口２が設けられている。また、この本体１の底面にはゴムパッキンが設けられている。また、取手にも害虫を処理するための虫とり箸４が収納されている。【選択図】図１
0003139427.tif 000002
【実用新案登録請求の範囲】
【請求項１】
害虫等を捕獲し、逃がすことなく駆除することを特徴とする害虫捕獲器。
【考案の詳細な説明】
【技術分野】
【０００１】  この考案は、害虫等の捕獲駆除するときの形状に関する。
【背景技術】
【０００２】  従来の害虫駆除は、直接、害虫に殺虫剤等を散布するものである。
【考案の開示】
【考案が解決しようとする課題】
【０００３】  しかしながら、以上の技術によれば、害虫等に逃げられてしまう可能性があり。また、周囲に殺虫剤が飛散し不快な気分になっていた。
そこで、この考案は、害虫等を確実に捕獲して、なを、殺虫剤等の飛散を最小限に抑える捕獲器を提供することを課題とする。
【課題を解決するための手段】
【０００４】  以上の課題を解決するために、この考案は、捕獲器本体１に殺虫剤散布口２を設けたことを特徴とする害虫捕獲器である。
【考案の効果】
【０００５】  この考案によれば捕獲器に殺虫剤散布口２を設けたので、確実に害虫を捕獲してから殺虫剤を散布できるので確実に駆除ができ、また、殺虫剤の飛散も最小限に抑える事ができる。
【考案を実施するための最良の形態】
【０００６】  この考案の一実施形態を、図１に示す。
捕獲器本体１は透明なプラスチック製であり底面が四角である、この本体１には目の細かいメッシュ状の殺虫剤散布口２が設けられている。また、この本体１の底面にはゴムパッキンが設けられている。また、取手にも害虫を処理するための虫取り箸４が収納されている。【０００７】「実施形態の効果」
この実施形態によれば、捕獲器本体１の底面が四角いので角にいる害虫も捕獲できる。また、殺虫剤散布口２が上部に設けられている事により害虫を捕まえる時の空気抵抗が低減され害虫を確実に捕獲しやすくなる。それから殺虫剤散布口２より殺虫剤を散布すれば、害虫に逃げられることなく駆除ができる。また、殺虫剤の飛散も最小限に抑える事ができる。また、本体１の底面にゴムパッキン３が設けられているので、壁や床等を傷つけることがない。また、取手にも虫取り箸が設けられているので処理がしやすい。【０００８】「他の実施形態」
図１の実施形態では、殺虫剤散布口２は四角いものであったが、他の実施形態では、どのような形のものでもよい。
また、ゴムパッキン３はスポンジ等でもよい。
【図面の簡単な説明】
【０００９】
【図１】この考案の一実施形態を示す斜視図である。
【符号の説明】
【００１０】  １  捕獲器本体    ２  殺虫剤散布口    ３  ゴムパッキン    ４  虫取り箸
【図１】
0003139427.tif 000003
【手続補正書】
【提出日】平成19年11月1日(2007.11.1)
【手続補正１】
【補正対象書類名】実用新案登録請求の範囲
【補正対象項目名】全文
【補正方法】変更
【補正の内容】
【実用新案登録請求の範囲】
【請求項１】
捕獲器に殺虫剤散布口を設けたことを特徴とする害虫捕獲器。